(57)【要約】【課題】車両等に使用するエンジン始動用蓄電池の状態表示装置において、蓄電池の状態の時系列的な推移は表示されないため、蓄電池の状態がどのように変化したか、あるいはどのように変化するのかを点検者やユーザに対して表示することができない。【解決手段】本発明の状態表示装置は、蓄電池の状態に関連する相違する複数のパラメータを計測するパラメータ取得手段と、これらパラメータの履歴を記憶する第１の記憶手段と、パラメータに基いて蓄電池の状態を表示する表示手段を有する。そして、表示手段において、複数のパラメータから選択される２つのパラメータ（ｘ）とパラメータ（ｙ）を２つの座標軸としたグラフを表示し、このグラフは蓄電池の状態に応じた領域に区画され、パラメータ（ｘ）と前記第２のパラメータ（ｙ）で規定される座標点を、時系列別にグラフ上に表示することにより、蓄電池の状態の座標点列を表示する。【選択図】図２
2010254000.tif 000002
【特許請求の範囲】
【請求項１】
エンジン始動用の蓄電池の状態表示装置であって、
前記蓄電池の状態に関連する互いに異なる複数のパラメータを計測するパラメータ取得手段と、
前記パラメータの履歴を記憶する第１の記憶手段と、
前記パラメータに基いて前記蓄電池の状態を表示する表示手段を有し、
前記表示手段において、
複数の前記パラメータから選択されるパラメータ（ｘ）を横軸もしくは縦軸のいずれか一方の座標軸とするとともに、
複数の前記パラメータで前記パラメータ（ｘ）を除いたものから選択されるパラメータ（ｙ）を他の一方の座標軸として、これら２つの前記座標軸で形成されたグラフを表示し、
前記グラフは前記蓄電池の状態に応じた領域に区画され、
前記パラメータ（ｘ）と前記第２のパラメータ（ｙ）で規定される座標点を、時系列別に前記グラフ上に表示することにより、前記蓄電池の状態の座標点列を表示することを特徴とするエンジン始動用の蓄電池の状態表示装置。
【請求項２】
前記パラメータ取得手段と前記第１の記憶手段は第１の構造体に収納され、
前記表示手段は前記第１の構造体とは別体の第２の構造体に収納され、
前記第１の構造体に前記第１の記憶手段に記憶された情報を電磁波信号として変調して出力する送信手段を有し、
前記第２の構造体に、前記電磁波信号を受信して前記パラメータの履歴データに復調する受信手段と、これら履歴データを記憶する第２の記憶手段を有し、
前記第２の記憶手段に記憶された前記パラメータに基いて、前記表示手段に前記蓄電池の状態を表示する請求項１に記載のエンジン始動用の蓄電池の状態表示装置。
【請求項３】
前記第１の構造体に前記パラメータに基いて、前記蓄電池の状態を可視光を発する発光デバイスで表示する第２の表示手段を備えた請求項１もしくは２に記載のエンジン始動用の蓄電池の状態表示装置。
【請求項４】
前記パラメータの３以上を計測し、これらパラメータから互いに異なる２つのパラメータを選択してｎ個のパラメータ対として、このパラメータ対の数に対応したｎ個の前記グラフを前記表示手段で表示する請求項１〜３に記載のエンジン始動用の蓄電池の状態表示装置。
【請求項５】
前記パラメータをエンジン停止時の蓄電池電圧（Ｖｓ）および前記蓄電池の使用頻度（Ｐ）としたことを特徴とする請求項１〜３に記載のエンジン始動用の蓄電池の状態表示装置。
【請求項６】
前記パラメータをエンジン停止時の蓄電池電圧（Ｖｓ）および前記蓄電池のエンジン始動時における電圧降下（△Ｖ）とした請求項１〜３に記載のエンジン始動用の蓄電池の状態表示装置。
【請求項７】
前記パラメータをエンジン停止時の蓄電池電圧（Ｖｓ）、前記蓄電池の平均使用頻度（Ｐ）前記蓄電池のエンジン始動時における電圧降下（△Ｖ）とした請求項４に記載のエンジン始動用の蓄電池の状態表示装置。
【発明の詳細な説明】
【技術分野】
【０００１】
本発明は、エンジン始動用の蓄電池の寿命や異常等を判別するための状態表示装置に関るものである。
【背景技術】
【０００２】
車両のエンジン始動用の蓄電池の寿命や、異常等を判別する目的で、様々な形式のバッテリーテスタが提案されている。例えば、特許文献１で、本願発明の発明者は、車両の運転状態を判別し、この運転状態に応じて所定の蓄電池電圧を設定し、各運転状態毎の所定の蓄電池電圧と、実測の蓄電池電圧を照合することによって、蓄電池が、正常、充電系異常、充電不足、放電異常及び蓄電池の寿命終了のどの状態にあるのかを判別する車両用蓄電池の状態表示装置を提案した。
【０００３】
特許文献１では、蓄電池の状態表示結果を、複数のＬＥＤの発光色、点灯、消灯あるいは点滅等の表示組み合わせで表示することが例示されている。
【０００４】
特許文献２には、蓄電池に一体に電池状態検知装置を備え、この電池状態検知装置には、電池の充電状態、温度、放電回数、稼働時間等のデータ信号を、電池の使用履歴データとして蓄積しておき、この使用履歴データをＬＥＤ等の発光信号に変換して送信する機能を有し、この発光信号を電池状態検知装置とは別体で設けた履歴読み出し装置に受信させ、ここから発光信号から得られる電池状態を、プリンタで表示する例が示されている。
【０００５】
特許文献２で例示された方法によれば、電池の状態を例えば１８通りに判別して表示できるため、特許文献１のＬＥＤのみで表示する手法に比較して多くのユーザに電池の状態をより正確に告知することができる。
【先行技術文献】
【特許文献】
【０００６】
【特許文献１】特開２００３−３２７０６１号公報
【特許文献２】特開２００８−２８９２２０号公報
【発明の概要】
【発明が解決しようとする課題】
【０００７】
しかしながら、特許文献１および特許文献２の蓄電池の状態表示装置では、ユーザに告知しうる状態表示結果は、蓄電池の点検時点での結果のみであり、例えば、「蓄電池寿命終了」との判別結果が得られた場合、ユーザは、当該蓄電池が初期状態から不良だったのではないかとの疑念を抱く場合等もあった。また、「蓄電池状態が良好」との結果が得られた場合において、今後、蓄電池の状態がどのように推移するかが不明であり、必ずしもユーザが納得あるいは理解しやすい表示が行なえているとは言えず、結果として、ユーザが蓄電池の状態に応じた適切な対処が取れない場合もあった。
【課題を解決するための手段】
【０００８】
前記した課題を解決するために、本発明の請求項１に係る発明は、エンジン始動用の蓄電池の状態表示装置であって、前記蓄電池の状態に関連する互いに異なる複数のパラメータを計測するパラメータ取得手段と、前記パラメータの履歴を記憶する第１の記憶手段と、前記パラメータに基いて前記蓄電池の状態を表示する表示手段を有し、前記表示手段において、複数の前記パラメータから選択されるパラメータ（ｘ）を横軸もしくは縦軸のいずれか一方の座標軸とするとともに、複数の前記パラメータで前記パラメータ（ｘ）を除いたものから選択されるパラメータ（ｙ）を他の一方の座標軸として、これら２つの前記座標軸で形成されたグラフを表示し、前記グラフは前記蓄電池の状態に応じた領域に区画され、前記パラメータ（ｘ）と前記第２のパラメータ（ｙ）で規定される座標点を、時系列別に前記グラフ上に表示することにより、前記蓄電池の状態の座標点列を表示することを特徴とするエンジン始動用の蓄電池の状態表示装置を示すものである。
【０００９】
また、本発明の請求項２に係る発明は、請求項１に記載のエンジン始動用の蓄電池の状態表示装置において、前記パラメータ取得手段と前記第１の記憶手段は第１の構造体に収納され、前記表示手段は前記第１の構造体とは別体の第２の構造体に収納され、前記第１の構造体に前記第１の記憶手段に記憶された情報を電磁波信号として変調して出力する送信手段を有し、前記第２の構造体に、前記電磁波信号を受信して前記パラメータの履歴データに復調する受信手段と、これら履歴データを記憶する第２の記憶手段を有し、前記第２の記憶手段に記憶された前記パラメータに基いて、前記表示手段に前記蓄電池の状態を表示することを特徴とするものである。
【００１０】
また、本発明の請求項３に係る発明は、請求項１もしくは２に記載のエンジン始動用の蓄電池の状態表示装置において、前記第１の構造体に前記パラメータに基いて、前記蓄電池の状態を可視光を発する発光デバイスで表示する第２の表示手段を備えたことを特徴とする。
【００１１】
また、本発明の請求項４に係る発明は、請求項１〜３に記載のエンジン始動用の蓄電池の状態表示装置において、前記パラメータの３以上を計測し、これらパラメータから互いに異なる２つのパラメータを選択して複数であるｎ個のパラメータ対として、このパラメータ対の数に対応したｎ個の前記グラフを前記表示手段で表示することを特徴とする。
【００１２】
また、本発明の請求項５に係る発明は、請求項１〜３に記載のエンジン始動用の蓄電池の状態表示装置において、前記パラメータをエンジン停止時の蓄電池電圧（Ｖｓ）および前記蓄電池の使用頻度（Ｐ）としたことを特徴とする。
【００１３】
また、本発明の請求項６に係る発明は、請求項１〜３に記載のエンジン始動用の蓄電池の状態表示装置において、前記パラメータをエンジン停止時の蓄電池電圧（Ｖｓ）および前記蓄電池のエンジン始動時における電圧降下（△Ｖ）としたことを特徴とする。
【００１４】
さらに、本発明の請求項７に係る発明は、請求項４に記載のエンジン始動用の蓄電池の状態表示装置において、前記パラメータをエンジン停止時の蓄電池電圧（Ｖｓ）、前記蓄電池の使用頻度および前記蓄電池のエンジン始動時における電圧降下（△Ｖ）としたことを特徴とする。
【発明の効果】
【００１５】
本発明のエンジン始動用の蓄電池の状態表示装置は、前記の構成を有し、蓄電池の状態が２次元のグラフ上で、使用開始時から現在に至るまで、時系列にどのように推移したかを点検者やユーザに明瞭に告知することができる。また、使用開始時からの蓄電池の状態変化の傾向も表示されるため、将来的にその蓄電池がどのような状態に至るかを予測できる。また、蓄電池の状態に応じた適切な対応方法を確実に告知できるといった、様々な顕著な効果を得ることができる。
【図面の簡単な説明】
【００１６】
【図１】本発明の第１の実施形態における蓄電池の状態表示装置の構成を示す図
【図２】（ａ）蓄電池の状態表示形態の一例を示す図（ｂ）蓄電池の状態表示形態の他の一例を示す図
【図３】（ａ）蓄電池の他の状態表示形態の一例を示す図（ｂ）蓄電池の他の状態表示形態の他の一例を示す図
【図４】蓄電池の状態表示形態の一例を示す図
【図５】本発明の第２の実施形態における蓄電池の状態表示装置の構成を示す図
【発明を実施するための形態】
【００１７】
以下、本発明の実施の形態を、図面を参照しながら説明する。
【００１８】
（第１の実施形態）
図１は、本発明の第１の実施形態による蓄電池６の状態表示装置１の構成を示す図である。蓄電池６は、車両用のエンジン始動用の蓄電池である。したがって、図１には示さないが、蓄電池６は、車両に搭載され、エンジン始動用のセルモータやＥＣＵ等の各種補機類に電力を供給する。なお、蓄電池６としては、鉛蓄電池を用いることができるが、これに限定されるものではなく、他の二次電池であってもよい。
【００１９】
蓄電池６は、エンジン始動用セルモータに電力を供給することによって、エンジンを始動する。エンジン始動後は、エンジンの駆動力を用いてオルタネータで発電が行なわれる。発電された電力は、レギュレータで蓄電池６の充電に適切な電圧値および／もしくは電流値に変換した後、蓄電池６の充電に用いられる。
【００２０】
状態表示装置１は、蓄電池６の状態に関連する複数のパラメータを取得するパラメータ取得手段２を備える。蓄電池６の状態に関連するパラメータの例として、エンジンが停止し、車両負荷がない状態（但し、通常の車両で発生する５ｍＡ〜３０ｍＡ程度の暗電流は車両負荷のない状態と見做す）での蓄電池６の電圧Ｖｓ、エンジン始動時の蓄電池の電圧降下△Ｖ、内部抵抗値ＩＲ、充電頻度（例えば、１週間（１６８時間）における累積充電時間）、蓄電池６の使用頻度（例えば、１週間（１６８時間）における車両運転時間）等が列挙されるが、これらに限定されるものではない。
【００２１】
これらのパラメータは、蓄電池６の電圧、あるいはその時間変化によって得ることができる。なお、時間変化は、パラメータ取得手段２に含まれる、計時手段による時間計測によって得ることができる。なお、計時手段は図１には、示していないが、パラメータ取得手段２および後述する第１の記憶手段３をマイコンあるいはこれと等価なデジタル回路で構成する場合、当然のことながら、これらの動作に必要なクロック回路を有しているため、このクロック回路の動作によって、計時を行なえばよい。
【００２２】
例えば、エンジン停止状態で、車両負荷がない状態は、蓄電池６の電圧がほぼ一定、すなわち、放電終了直後あるいは充電終了直後の蓄電池６の分極（電解液中の希硫酸濃度が、電極界面と電解液バルクとの間で差がある、すなわち濃度分極）を除けば、電圧の時間変化がほぼ無いか、あっても無視しうる程度となり（一例として、１０ｍＶ／セル・分）、かつ、蓄電池６の電圧Ｖｓは、蓄電池６の純然とした開路電圧（ＯＣＶ）よりも低い値となり、その範囲は蓄電池６の設計要素（電解液中の希硫酸濃度、正極と負極の活物質比率、活物質あるいは電解液中への添加剤、さらには正極と負極の格子合金成分等）や、充電状態（ＳＯＣ：Ｓｔａｔｅ  ｏｆ  ｃｈａｒｇｅ）によっても異なるが、一例として、セル当り１．９５Ｖ〜２．２５Ｖの範囲となる。したがって、上記条件を満たした場合の蓄電池６の電圧を電圧Ｖｓと判定することができる。なお、この判定は、例えば、パラメータ取得手段２の内部で実行することができる。
【００２３】
また、エンジン始動時の蓄電池６の電圧降下△Ｖの計測方法としては、エンジン始動時に蓄電池６から、セルモータへ流れる放電電流が、蓄電池容量に対して５ＣＡ〜８ＣＡ程度の高率電流であることから、前記したクロックを用いて、所定時間間隔（例えば１０ｍＳ間隔）で計測している蓄電池６の電圧Ｖの時間変化が、例えば、セル当り０．２５Ｖ／１０ｍＳ以上である場合に、この電圧Ｖの時間変化をエンジン始動時の時間変化△Ｖとすればよい。
【００２４】
また、内部抵抗値ＩＲ（Ｉｎｔｅｒｎａｌ  Ｒｅｓｉｓｔａｎｃｅ）の計測方法としては、例えば、パラメータ取得手段２中にＩＲ計測用抵抗を内蔵させておき、蓄電池６が無負荷と見做せる状態である時点で、ＩＲ計測用抵抗で蓄電池６を微小放電量、放電したときの蓄電池６の電圧Ｖの電圧Ｖｓからの電圧降下△Ｖ′と、ＩＲ計測用抵抗の両端電圧Ｖ′より、蓄電池６の直流法による内部抵抗ＩＲを得ることができる。すなわち、ＩＲ計測用抵抗の抵抗値をＲ′とした際に、オームの法則により、蓄電池６の放電電流ｉ＝Ｖ′／Ｒ′であるから、内部抵抗ＩＲ＝（（△Ｖ′×Ｒ）／Ｖ′）により、蓄電池６の内部抵抗ＩＲを取得することができる。なお、これらの演算は、例えば、パラメータ取得手段２で行なえばよい。
【００２５】
次に、充電頻度（例えば、１週間（１６８時間）における累積充電時間）としては、蓄電池６の電圧から充電状態であるかどうかを判定することができる。例えば、１週間内に、蓄電池６の電圧が、セル当り２．３０Ｖ以上にある累積時間ｔを前記した計時手段で演算すればよい。また、前記した１週間という時間も、計時手段で計測すればよい。
【００２６】
また、蓄電池６の使用頻度は、例えば、１週間（１６８時間）という所定の期間の中で、前記した蓄電池６の電圧Ｖｓを検出していない時間、すなわち、蓄電池６の電圧変動が所定以上であるか、蓄電池６の電圧Ｖｓの範囲外にある時間を蓄電池６の使用時間Ｔとして計時手段で累積計時して得、この使用時間Ｔを前記した所定の期間（上記の例では、１週間（１６８時間）で除算した値として得ることができる。なお、１週間という所定期間は、前述したと同様、計時手段で計測すればよい。
【００２７】
以上、蓄電池６の状態に関連するパラメータとその取得手法を例示したが、本発明は、これに限定されるものでなく、蓄電池６の状態に関連するものであれば、他の公知のパラメータ（例として、蓄電池６の温度およびその変化、蓄電池６のインピーダンス）であってもよく、これらパラメータの取得方法として、前記したもの以外の、公知の手法を採用することができる。
【００２８】
本発明では、前記した、蓄電池６の状態に関連するパラメータから選択された互いに異なるパラメータ（ｘ）とパラメータ（ｙ）の少なくとも２個のパラメータの履歴データを第１の記憶手段３に記憶させる。
【００２９】
例えば、パラメータ（ｘ）をエンジン停止時の蓄電池の電圧Ｖｓとし、パラメータ（ｙ）をエンジン始動時の蓄電池の電圧降下△Ｖとして、時間の経過とともに、履歴データが第１の記憶手段に蓄積される。
【００３０】
そして、図２（ａ）および図２（ｂ）に示したように、パラメータ（ｘ）を横軸２２とし、パラメータ（ｙ）を縦軸２３として、これら２つの座標軸で形成されたグラフ２０を表示手段４で表示する。
【００３１】
グラフ２０は蓄電池６の状態に応じた領域、すなわち上記の例では、区画線２１により、第１領域、第２領域、第３領域および第４領域に区画され、パラメータ（ｘ）とパラメータ（ｙ）で規定される座標点２８ａを、時系列別にグラフ２０上に表示することにより、蓄電池６の状態の座標点列２８を表示するものである。
【００３２】
図２（ａ）を例に挙げて説明すると、第１領域２４、第２領域２５、第３領域２６および第４領域２７に、それぞれの領域における蓄電池６の状態を説明する注釈２４ａ、注釈２５ａ、注釈２６ａおよび注釈２７ａが表示される。
【００３３】
また、横軸２２には横軸注釈２２ａが表示され、縦軸には縦軸注釈２３ｂが表示される。なお、これらの注釈は、ユーザに解りやすい表示にとどめるため、必ずしも、対応するパラメータの単位や、その数値を具体的に表示する必要はない。
【００３４】
なお、蓄電池６の状態を示す座標点２８ａの中で、最初に得られた、すなわち、蓄電池６の使用開始時の座標点２８ａの表示は、蓄電池６の現在の状態を示す座標点２８ａの表示と異なった表示とすることが好ましい。図２（ａ）の例では、使用開始時の座標点２８ａを「＋」とし、現在の状態を示す座標点２８ａの表示を「×」とした例を示している。また、さらに好ましくは、これら最初と最後の座標点２８ａにそれぞれ対応する「使用開始時」等の表示を行なう。
【００３５】
なお、グラフ２０を表示する表示手段としては、プリンタ等の印字デバイス、あるいはＬＣＤパネルや、プラズマディスプレイ、有機ＥＬディスプレイ等の公知の表示デバイスを用いることができる。
【００３６】
また、使用開始時を検知する手法としては、例えば、第１回目のエンジン始動を検出してからバラメータ（ｘ）およびパラメータ（ｙ）の履歴を蓄積していけばよい。なお、第１の記憶手段３の記憶容量の制約上、蓄電池６の使用期間が経過するにしたがって、第１の記憶手段３の履歴データの一部を消去することによって、時間的に隣接する座標点２８ａの時間間隔を次第に長くすれば、蓄電池６の寿命が予想以上に長い場合においても、蓄電池６の使用開始から、蓄電池６に何らかの処置が必要な状態に至るまでの状態の座標点列２８を表示することが記録でき、第１の記憶手段３の記憶容量の制約によって、現時点での蓄電池６のデータが記憶できなくなるという、不具合を避けることができ、より好ましい。
【００３７】
履歴データを消去する場合には、消去後に第１の記憶手段３に残存した履歴データの時間間隔が、均一になるよう、履歴データを消去することが好ましい。なぜならば、座標点２８ａ間の時間間隔を均等とすることにより、座標点２８ａ間の距離が離れてきた場合は、蓄電池６の状態変化がより速く進行し、座標２８ａ間の距離が隣接したときは、蓄電池６の状態の時間変化は少なく、蓄電池６の状態が安定した状態にあることが、蓄電池６の点検者やユーザに、速やかに告知しうるからである。
【００３８】
本発明の構成によれば、例えば、図２（ａ）および図２（ｂ）の表示結果を例にとれば、蓄電池６の状態変化が時系列的に表示される。図２（ａ）に示した例では、使用開始時には状態が良好であった蓄電池６が時間の経過とともに、充電不足状態になっていく傾向を速やかに理解できうる。また、図２（ｂ）に示した例では、使用開始時には状態が良好であった蓄電池６が極板劣化により寿命にいたる状況が速やかに理解できうる。
【００３９】
したがって、蓄電池６の点検者やユーザは、蓄電池６の状態が初期からどのように変化して、今現在、どのような対処が必要かということを速やかに認識しえるという顕著な効果を奏する。
【００４０】
また、本発明によれば、現在の蓄電池６の状態が良好であっても、蓄電池６の点検者やユーザは、蓄電池６の状態を示す座標点列２８がどの領域に向かっていくかを予測できることから、蓄電池６の点検者やユーザに対して、蓄電池６が使用不能に至るまでに、適切な予防措置を告知でき、さらには、蓄電池６の状態が良好でない場合、その蓄電池６が初期不良であったのかどうかということも判別できるという、顕著な効果を奏する。
【００４１】
以上、パラメータ（ｘ）として、蓄電池６の電圧Ｖｓ（エンジン停止時の蓄電池電圧）、パラメータ（ｙ）として、エンジン始動時の蓄電池６の電圧降下△Ｖを採用した例を示したが、パラメータ（ｘ）とパラメータ（ｙ）の両方あるいは一方を他のパラメータと置換することもできる。
【００４２】
図３（ａ）、図３（ｂ）および図４は、いずれも、パラメータ（ｘ）を、前記した蓄電池６のエンジン停止時の電圧Ｖｓとして横軸２２に配置し、パラメータ（ｙ）を蓄電池６の使用頻度を選択下場合のグラフ２０′による表示結果を示す図である。
【００４３】
蓄電池６の停止時の電圧Ｖｓ、および蓄電池６の使用頻度は前記した手法により、得ることができる。なお、蓄電池６の使用頻度は、車両に用いるエンジン始動用の場合、車両の使用頻度と実質的に同等に扱うことができる。
【００４４】
グラフ２０′の例では、グラフ２０′は、区画線２１によって、領域２４、領域２５および領域２６の３つの領域に区画され、それぞれの領域での蓄電池６の充電状態を示す注釈２４ａ、注釈２５ａおよび注釈２６ａが示される。
【００４５】
グラフ２０′に示した表示例においても、グラフ２０で示した表示例と同様、パラメータ（ｘ）とパラメータ（ｙ）との値によって、グラフ２０′上に座標点２８ａが所定時間間隔で、プロット表示することによって、座標点列２８を表示する。また、座標点列２８における時間的両端に位置する、すなわち、蓄電池６の使用開始時および現時点での状態を示す座標点２８ａの表示形態を他の座標点２８ａと異なる表示形態として、グラフ２０′における座標点２８ａの時間の前後関係をより明瞭に表示することができる。
【００４６】
グラフ２０′に示した表示形態例では、使用開始時から現在にいたるまでの、蓄電池６の充電状態の計時変化を視覚的に明瞭に蓄電池６の点検者あるいはユーザ等に表示することができ、それに応じた対処を促すことができる。すなわち、図３（ａ）に示した例では、使用開始時には、充電状態が良好であった蓄電池６が、使用頻度が少ないがために充電不足となっていることを点検者あるいはユーザに明瞭に告知することができる。また、図３（ｂ）に示した例では、使用開始時には、充電状態が良好であった蓄電池６が、車両の充電系異常のために充電不足になっていることを告知でき、同じ充電不足であっても、取るべき対処方法が異なることを明瞭に告知できる。
【００４７】
また、蓄電池６の現在の状態を示す座標点２８ａが、充電状態が良好であることを示す領域２４内にあった場合においても、座標点列２８の伸びる方向によって、将来的に蓄電池６の状態がどの領域になるかを予測することができるという、顕著な効果を奏する。
【００４８】
図４は、グラフ２０′の他の表示結果例を示す図であり、使用頻度が、ある時点で急に高くなることによって、一旦、充電不足になった後、再び良好な充電状態になった表示結果例を示す。このような場合、座標点２８ａの時間系列が不明となる場合があるので、時間的に隣接する座標点２８ａが、グラフ２０′上で離間した位置に表示される場合、この不連続な座標点を、不連続座標点２８ｂとして他の座標点２８ａと異なる形態で表示すれば、蓄電池６の状態の時系列変化を誤って把握することはない。また、不連続座標点２８ｂに変えて、不連続な座標点２８ａ間を結ぶ補間線プロット２８ｃを表示してもよい。
【００４９】
また、図４の表示例では、蓄電池６の使用途中、すなわち、車両の使用途中で、使用頻度が大きく変化したことが示されているが、このような不連続な座標点２８ａが生じる場合、蓄電池６、すなわち、車両の使用モードが変化したことが一目瞭然となる。これは、例えば、車両（蓄電池６）の使用者が異なる、あるいは使用者は同一でも一度の走行距離が異なる等の情報をも、グラフ２０′の表示により、蓄電池６の点検者あるいはユーザに告知することができるという、顕著な効果を奏する。
【００５０】
また、グラフ２０′においても、前記したグラフ２０と同様、なお、第１の記憶手段３の記憶容量の制約上、蓄電池６の使用期間が経過するにしたがって、第１の記憶手段３の履歴データの一部を消去することが可能であり、その形態として、グラフ２０の説明で記載した形態をグラフ２０′に適用できることは言うまでもない。
【００５１】
また、グラフ２０およびグラフ２０′に示した２つの表示形態において、使用開始時の蓄電池６の状態も把握できるため、蓄電池６の初期不良の検出と、初期不良であることを点検者あるいはユーザに告知しうるという、顕著な効果を奏する。
【００５２】
さらに、グラフ２０とグラフ２０′の複数の表示を、同時に表示することも可能であり、蓄電池６の状態変化を、蓄電池６の点検者あるいはユーザに対してさらに詳細に告知でき、好ましい。
【００５３】
なお、パラメータとして、前記した例の他、蓄電池６の状態と関連するパラメータであれば用いることができるものの、好ましくは、選択するパラメータから、蓄電池６の使用時間Ｔあるいは蓄電池６の使用開始時から現在にいたるまでの経過時間Ｔ′、および、これら使用時間Ｔあるいは経過時間Ｔ′から一義的に得られるパラメータであって、パラメータ中の時間の次数が０以外のパラメータであり、かつ他の変数（電圧、温度等）を含まないパラメータ（以下、パラメータＡ）は選択しないことが好ましい。
【００５４】
このようなパラメータＡとしては、例えば、蓄電池の使用時間Ｔ、さらには蓄電池６の設定保証期間Ｔ″から使用時間Ｔを差し引いた（Ｔ″−Ｔ）等がこれに該当する。なお、蓄電池６（あるいは車両）の使用頻度は、時間の次数が０であるため、選択から除くことが好ましいパラメータＡには該当しない。
【００５５】
また、車両の走行距離Ｄ、および走行距離Ｄと無次元の定数を組み合わせて得られるパラメータ（以下、パラメータＢ）は、選択するパラメータから除くことが好ましい。
【００５６】
以上のパラメータＡとパラメータＢを除く理由としては、蓄電池の状態に変化が殆ど生じていない場合においても、パラメータＡとパラメータＢは、状態変化に関係なく、一定方向にのみ変化するパラメータであるため、グラフ上での座標点が変化していくからである。
【００５７】
したがって、座標点の位置変化は、蓄電池６本体の状態変化に、時間経過あるいは走行距離の増大による位置変化が加わったものとなり、点検者あるいはユーザが表示から認識しうる座標点の位置変化から、時間経過あるいは走行距離の増大による位置変化分を差し引いて、蓄電池６本体の状態変化のみを直接的な表示によって得ることが困難であるからである。
【００５８】
また、グラフ内の領域の設定も時間経過あるいは走行距離の増大を加味したものとなるため、状態判別の誤差も、パラメータがパラメータＡでも、パラメータＢでもない場合に比較して、より大となる傾向にある。
【００５９】
本発明の第１の実施形態における、より好ましい形態では、パラメータより、前記したパラメータＡおよびパラメータＢを除くことによって、蓄電池６の状態に変化がないならば、走行距離Ｄ、使用時間Ｔ等の多寡に関らず、蓄電池６の状態を示す座標点２８ａの位置が一定、もしくは大きく変動しない状態表示となり、状態別の領域設定の精度がより高まるとともに、点検者やユーザは、蓄電池６の状態をより的確に認識できるという、顕著な効果を奏する。
【００６０】
なお、表示手段４に、パラメータ（ｘ）およびパラメータ（ｙ）から構成されるグラフ表示を主な状態表示として表示し、パラメータ（ｘ）もしくはパラメータ（ｙ）のいずれか一方、あるいは両方をのぞくパラメータの対から構成されるグラフを副の状態表示として併せて表示することもできる。
【００６１】
また、このように、表示手段４に、複数のグラフを表示する場合、グラフ間でパラメータを共有してもよく、それぞれが異なるパラメータを用いてもよい。
【００６２】
さらに、図１に示した、グラフを表示する表示手段４に加えて、ＬＥＤ等の発光デバイスやスピーカ等の音響デバイスを第２の表示手段５として併設してもよい。例えば、第２の表示手段５をスピーカとし、蓄電池６の状態を電子音声で出力することができる。また、電池要交換等、蓄電池６の状態が、急ぎ対処すべきときにある場合は、第２の表示手段５として、赤色ＬＥＤの点滅等で、点検者やユーザに対して表示手段４の表示の確認を促すことも可能であり、好ましい。
【００６３】
なお、本発明の状態検知装置１における、パラメータ取得手段２、第１の記憶手段３、表示手段４および第２の表示手段５は、蓄電池６よりの電力によって駆動するものであってよいが、表示手段４を駆動するに必要な電力が、蓄電池６の容量に対して大きく、蓄電池６の無視できない容量低下をもたらす場合には、表示手段４を外部電源によって駆動してもよい。
【００６４】
また、状態表示装置１を蓄電池６内に内蔵した構成としてもよい。
【００６５】
また、表示手段４での表示実行を指示する手法として、状態検知装置１に設けたスイッチを操作することによるものであってよいが、例えば、エンジン始動時の蓄電池６の電圧降下（△Ｖ）を検知して際に状態表示を実行する形態を採用できる。このような構成によれば、スイッチを用いる必要がないことから、状態検知装置１の信頼性の面で好ましい。
【００６６】
なお、状態表示装置１におけるパラメータ取得手段２や第１の記憶手段３は、アナログ・デジタルコンバータ、マイクロコンピュータおよびこれらに電源を供給するための安定化電源回路で構成すればよい。
【００６７】
（第２の実施形態）
本発明の第２の実施形態による蓄電池６の状態表示装置１０は、前記した第１の実施形態による状態表示装置１に以下の構成を付加したものである。すなわち、図５に示したように、パラメータ取得手段２と第１の記憶手段３は第１の構造体１１に収納された構成を有する。
【００６８】
一方、表示手段４は第１の構造体１１とは別体の第２の構造体１２に収納され、第１の構造体１１に第１の記憶手段３に記憶された情報を電磁波信号として変調して出力する送信手段７を有する。なお、第１の構造体１１には、第１の実施形態で述べたところの第２の表示手段５を設けてもよい。
【００６９】
そして第２の構造体１２に、前記した電磁波信号を受信してパラメータの履歴データに復調する受信手段８と、これら履歴データを記憶する第２の記憶手段９を有する。そして、第２の記憶手段９に記憶されたパラメータに基いて、表示手段４に蓄電池６の状態を表示する。なお、表示の形態は、第１の実施形態で開示した構成を適用する。
【００７０】
電磁波信号としては、赤外光から可視光といった、光信号あるいは、超短波あるいは極超短波の電波信号であってよい。
【００７１】
第２の実施形態は、第１の構造体１１と第１の表示手段４を含む第２の構造体１２とが別体であるので、第１の表示手段４を蓄電池６に近接して常時配置できない場合に好適であり、第１の構造体を蓄電池６に内蔵させる、あるいは蓄電池６もしくは蓄電池６に近接した場所、例えば蓄電池６の断熱カバー（図示せず）に設置する。蓄電池６の点検時に、第２の構造体１２の受信手段８を第１の構造体から送信される電磁波信号を受信可能な位置に近接させればよい。
【００７２】
第２の実施形態においては、第１の構造体１１へ蓄電池６から電力が供給される。なお、エンジン車両に状態表示装置１０を適用する場合、第１の構造体１１への電力供給は、車両の発電装置および蓄電池６のいずれか一方、もしくは両方から行なえばよい。
【００７３】
表示手段４での表示開始の制御形態としては、第１の実施形態において記載したように、例えば、エンジン始動時の電圧低下を検出時に、送信手段７から蓄電池６の状態を示す信号を電磁波信号として送信させることが好ましい。
【００７４】
また、本発明の第２の実施形態をエンジン車両に適用する場合、車室内に配置したディスプレイ装置を表示手段４として利用可能である。例えば、カーナビゲーションシステムのディスプレイを表示手段４として用いることができる。カーナビゲーションシステム本体には、受信手段８と第２の記憶手段９を内蔵する。このような場合、第１の構造体１１と第２の構造体１２として用いるカーナビゲーションシステム間の通信は、例えば、ブルートゥース（登録商標）で規定された通信仕様にしたがい、２．４ＧＨｚ帯（極超短波帯）での通信によって蓄電池６の状態をカーナビゲーションシステムに送信することができる。
【００７５】
本発明の第２の実施形態によれば、本発明の第１の実施形態と同様の作用効果を得ることができる。また、表示手段４を蓄電池６から離間した位置に配置することができるので、表示手段４における表示サイズ（例えば、ＬＣＤパネルやプリンタ出力にて表示する場合には、当該パネルのインチ数や、プリンタ出力紙のサイズ）の制約が少なくなるため、好ましい。
【産業上の利用可能性】
【００７６】
本発明は、エンジン始動用の蓄電池に適用でき、通常の車両用蓄電池や、建設機械、農機用の蓄電池等、エンジンを使用する様々な機器用に適用できる。
【符号の説明】
【００７７】
１      状態表示装置
２      パラメータ取得手段
３      第１の記憶手段
４      表示手段
５      第２の表示手段
６      蓄電池
７      送信手段
８      受信手段
９      第２の記憶手段
１０    状態表示装置
１１    第１の構造体
１２    第２の構造体
２０    グラフ
２１    区画線
２２    横軸
２２ａ  横軸注釈
２３    縦軸
２３ｂ  縦軸注釈
２４    第１領域
２４ａ  注釈
２５    第２領域
２５ａ  注釈
２６    第３領域
２６ａ  注釈
２７    第４領域
２７ａ  注釈
２８    座標点列
２８ａ  座標点
２８ｂ  不連続座標点
２８ｃ  補間線プロット
【図１】
2010254000.tif 000003
【図２】
2010254000.tif 000004
【図３】
2010254000.tif 000005
【図４】
2010254000.tif 000006
【図５】
2010254000.tif 000007